(57)【要約】【課題】楽器用弦の切断を防止するとともに、弦楽器特有の優れた音色を奏することができる楽器用弦を提供する。【解決手段】三味線の糸６は、糸状に延びる本体部１０と、本体部１０の外周部に一体成形される突出部１１ａと、を備えた単線からなる。突出部１１ａは、本体部１０の延出方向に沿って波形形状となるように突出してなる。糸６は、撚糸ではなく、糸６の外周部に撚り合わせ部分が生成されることがないから、糸６の外周部を強く弾いたとしても、糸６の切断を防止することができる。糸６は、延出方向に沿って波形形状となるように突出する突出部１１ａを有することによって、糸６の振動が単調とならないから、三味線特有の優れた音色を奏することができる。【選択図】図２
2017040862.tif 000002
【特許請求の範囲】
【請求項１】
糸状に延びる本体部と、該本体部の外周部に一体成形される突出部と、を備えた単線からなる楽器用弦。
【請求項２】
糸状に延びる本体部と、該本体部の外周部に一体成形される埋没部と、を備えた単線からなる楽器用弦。
【請求項３】
前記突出部は、前記本体部の外周部が延出方向に沿って波形形状となるように突出されてなる請求項１に記載の楽器用弦。
【請求項４】
前記埋没部は、前記本体部の外周部が延出方向に沿って波形形状となるように埋没されてなる請求項２に記載の楽器用弦。
【請求項５】
前記突出部は、前記本体部の延出方向に沿って配置される環状突起からなる請求項１に記載の楽器用弦。
【請求項６】
前記突出部は、前記本体部の延出方向に沿って間隔をあけて配置される螺旋状突起からなる請求項１に記載の楽器用弦。
【請求項７】
前記埋没部は、前記本体部の延出方向に沿って、当該本体部の外周部に間隔をあけて螺旋状突起が形成されるように埋没されてなる請求項２に記載の楽器用弦。
【請求項８】
前記突出部は、前記本体部の周方向に沿って間隔をあけて配置される線状突起からなる請求項１に記載の楽器用弦。
【請求項９】
前記突出部は、尖凸形状となるように突出されてなる請求項１に記載の楽器用弦。
【請求項１０】
前記埋没部は、尖凹形状となるように埋没されてなる請求項２に記載の楽器用弦。
【発明の詳細な説明】
【技術分野】
【０００１】
本発明は、弦楽器に使用される楽器用弦に関する。
【背景技術】
【０００２】
従来の弦楽器は、指、爪、義甲、撥等で弦を弾く撥弦振動によって発音する撥弦楽器、例えば、ギター、マンドリン、ハープ、箏、琵琶、三味線等が知られている。この種の弦楽器に使用される楽器用弦は、絹糸等の天然繊維、ナイロン（登録商標）などのポリアミド、テトロン（登録商標）などのポリエステル、ポリエチレンテレフタラート（ＰＥＴ）等の合成繊維、ブロンズ、ニッケル、ステンレス等の金属線材からなる糸状の部材であって、弦楽器の本体に張設されるものである。このような楽器用弦は、単線の弦からなるプレーン弦、複数の単線を撚り合せた弦からなる撚弦、芯線の外周部に巻線を巻回した弦からなる巻弦が使用される。例えば、三味線用の弦（糸）は、絹糸を撚り合わせた撚弦（撚糸）、又は、ＰＥＴからなる合成繊維のプレーン弦（単糸）が使用される（特許文献１参照）。
【先行技術文献】
【特許文献】
【０００３】
【特許文献１】特開２００１−１１７５５７号公報
【発明の概要】
【発明が解決しようとする課題】
【０００４】
しかしながら、前記従来の三味線用の糸では、糸が絹糸を撚り合わせた撚糸である場合には、撥で撚糸の外周部を強く弾くために、撚糸の外周部の撚り合わせ部分が解れ、糸が切断される問題があった。一方、糸が合成繊維の単糸である場合には、単糸の外周部がストレート形状に形成されるために、単糸の振動に伴う空気振動が単調となるから、三味線特有の優れた音色（例えば、さわりと呼ばれる高次倍音成分に非倍音成分が付加されることによって生じる余韻の音色）を奏することが極めて困難となるといった問題があった。
【０００５】
本発明は、上述の事情に鑑みて、楽器用弦の切断を防止するとともに、弦楽器特有の優れた音色を奏することができる楽器用弦を提供することを目的としている。
【課題を解決するための手段】
【０００６】
上記目的を達成するための手段を図面の参照符号を付して示せば、請求項１の発明に係る楽器用弦（糸６）は、糸状に延びる本体部１０と、該本体部１０の外周部に一体成形される突出部１１ａと、を備えた単線からなることを特徴としている。
【０００７】
請求項２の発明に係る楽器用弦（糸６）は、糸状に延びる本体部１０と、該本体部１０の外周部に一体成形される埋没部１１ｂと、を備えた単線からなることを特徴としている。
【０００８】
請求項３の発明は、上記請求項１の楽器用弦（糸６）において、突出部１１ａは、本体部１０の外周部が延出方向に沿って波形形状となるように突出されてなることを特徴としている（図２参照）。
【０００９】
請求項４の発明は、上記請求項２の楽器用弦（糸６）において、埋没部１１ｂは、本体部１０の外周部が延出方向に沿って波形形状となるように埋没されてなることを特徴としている（図２参照）。
【００１０】
請求項５の発明は、上記請求項１の楽器用弦（糸６）において、突出部１１ａは、本体部１０の延出方向に沿って配置される環状突起からなることを特徴としている（図３参照）。
【００１１】
請求項６の発明は、上記請求項１に記載の楽器用弦（糸６）において、突出部１１ａは、本体部１０の延出方向に沿って間隔をあけて配置される螺旋状突起からなることを特徴としている（図４参照）。
【００１２】
請求項７の発明は、上記請求項２に記載の楽器用弦（糸６）において、埋没部１１ｂは、本体部１０の延出方向に沿って、当該本体部１０の外周部に間隔をあけて螺旋状突起１１ａ１が形成されるように埋没されてなることを特徴としている（図５参照）。
【００１３】
請求項８の発明は、上記請求項１に記載の楽器用弦（糸６）において、突出部１１ａは、本体部１０の周方向に沿って間隔をあけて配置される線状突起からなることを特徴としている（図６参照）。
【００１４】
請求項９の発明は、上記請求項１に記載の楽器用弦（糸６）において、突出部１１ａは、尖凸形状となるように突出されてなることを特徴としている（図７参照）。
【００１５】
請求項１０の発明は、上記請求項２に記載の楽器用弦（糸６）において、埋没部１１ｂは、尖凹形状となるように埋没されてなることを特徴としている（図８参照）。
【発明の効果】
【００１６】
以下に、本発明の効果について、図面の参照符号を付して説明する。まず、請求項１の発明に係る楽器用弦（糸６）は、単線、すなわち、プレーン弦（単糸）であって、いわゆる、撚弦（撚糸）ではない。それゆえ、楽器用弦（糸６）の外周部に撚り合わせ部分が生成されることがないから、楽器用弦（糸６）の外周部を強く弾いたとしても、楽器用弦（糸６）の切断を防止することができる。さらに、請求項１の発明に係る楽器用弦（糸６）は、本体部１０の外周部に一体形成されている突出部１１ａを有しているから、本体部１０の外周面に凹凸形状が形成されることとなる。これにより、楽器用弦（糸６）の振動に伴い振動する空気の振動が、本体部１０の外周面に形成されている凹凸形状によって単調な振動とならないから、弦楽器（三味線１）特有の優れた音色を奏することができる。
【００１７】
請求項２の発明に係る楽器用弦（糸６）は、単線、すなわち、プレーン弦（単糸）であって、いわゆる、撚弦（撚糸）ではない。それゆえ、楽器用弦（糸６）の外周部に撚り合わせ部分が生成されることがないから、楽器用弦（糸６）の外周部を強く弾いたとしても、楽器用弦（糸６）の切断を防止することができる。さらに、請求項２の発明に係る楽器用弦（糸６）は、本体部１０の外周部に一体形成されている埋没部１１ｂを有しているから、本体部１０の外周面に凹凸形状が形成されることとなる。これにより、楽器用弦（糸６）の振動に伴い振動する空気の振動が、本体部１０の外周面に形成されている凹凸形状によって単調な振動とならないから、弦楽器（三味線１）特有の優れた音色を奏することができる。
【００１８】
請求項３の発明によれば、突出部１１ａを波形形状となるように本体部１０の外周部より別体とせず一体として突出させているから、本体部１０の外周面に楽器用弦（糸６）の振動に伴い振動する空気の振動が単調な振動とならないようにする凹凸形状を簡単容易に形成することができる。
【００１９】
請求項４の発明によれば、埋没部１１ｂを波形形状となるように本体部１０の外周部より別体とせず一体として埋没させているから、本体部１０の外周面に楽器用弦（糸６）の振動に伴い振動する空気の振動が単調な振動とならないようにする凹凸形状を簡単容易に形成することができる。
【００２０】
請求項５の発明によれば、突出部１１ａを環状突起となるように本体部１０の外周部より別体とせず一体として突出させているから、本体部１０の外周面に楽器用弦（糸６）の振動に伴い振動する空気の振動が単調な振動とならないようにする凹凸形状を簡単容易に形成することができる。
【００２１】
請求項６の発明によれば、突出部１１ａを螺旋状の突起となるように本体部１０の外周部より別体とせず一体として突出させているから、本体部１０の外周面に楽器用弦（糸６）の振動に伴い振動する空気の振動が単調な振動とならないようにする凹凸形状を簡単容易に形成することができる。
【００２２】
請求項７の発明によれば、本体部１０の外周部に間隔をあけて螺旋状突起１１ａ１が形成されるように、埋没部１１ｂを本体部１０の延出方向に沿って埋没させているから、本体部１０の外周面に楽器用弦（糸６）の振動に伴い振動する空気の振動が単調な振動とならないようにする凹凸形状を簡単容易に形成することができる。
【００２３】
請求項８の発明によれば、突出部１１ａを線状突起となるように本体部１０の外周部より別体とせず一体として突出させているから、本体部１０の外周面に楽器用弦（糸６）の振動に伴い振動する空気の振動が単調な振動とならないようにする凹凸形状を簡単容易に形成することができる。
【００２４】
請求項９の発明によれば、突出部１１ａを尖凸形状の突起となるように本体部１０の外周部より別体とせず一体として突出させているから、本体部１０の外周面に楽器用弦（糸６）の振動に伴い振動する空気の振動が単調な振動とならないようにする凹凸形状を簡単容易に形成することができる。
【００２５】
請求項１０の発明によれば、埋没部１１ｂを尖凹形状となるように本体部１０の外周部より別体とせず一体として埋没させているから、本体部１０の外周面に楽器用弦（糸６）の振動に伴い振動する空気の振動が単調な振動とならないようにする凹凸形状を簡単容易に形成することができる。
【図面の簡単な説明】
【００２６】
【図１】本発明の実施形態に係る糸が使用される三味線を例示する斜視図である。
【図２】同実施形態に係る糸を例示し、（ａ）は正面図、（ｂ）は（ａ）に示すＸ−Ｘ線断面図、（ｃ）は（ａ）に示すＹ−Ｙ線断面図である。
【図３】本発明の実施形態の変形例に係る糸を例示し、（ａ）は正面図、（ｂ）は断面図である。
【図４】本発明の実施形態のさらに別の変形例に係る糸を例示し、（ａ）は正面図、（ｂ）は断面図である。
【図５】本発明の実施形態のさらに別の変形例に係る糸を例示し、（ａ）は正面図、（ｂ）は断面図である。
【図６】本発明の実施形態のさらに別の変形例に係る糸を例示し、（ａ）は正面図、（ｂ）は断面図である。
【図７】本発明の実施形態のさらに別の変形例に係る糸を例示し、（ａ）は正面図、（ｂ）は断面図である。
【図８】本発明の実施形態のさらに別の変形例に係る糸を例示し、（ａ）は正面図、（ｂ）は断面図である。
【発明を実施するための形態】
【００２７】
以下に、本発明に係る三味線１（弦楽器の一例）の糸６（楽器用弦の一例）の実施形態について、図面を参照して具体的に説明する。
【００２８】
三味線１は、図１に示すように、撥で糸６を弾く撥弦振動によって発音する撥弦楽器であって、例えば、長唄、端唄等に使用される細棹と呼ばれるものである。撥は、図示しないが、へら状の部材であって、象牙、鼈甲、樫、黄楊、柊等からなる。なお、三味線１は、細棹に限定されるものではなく、常磐津節、地歌等に使用される中棹や、義太夫節、津軽三味線等に使用される太棹であってもよい。
【００２９】
三味線１は、図１に示すように、上下方向に延びる棹部２と、棹部２の下部が内部を貫通し棹部２に装着固定される胴部３と、を備える。
【００３０】
棹部２は、図１に示すように、紅木、紫檀、花梨等の唐木からなる棒状部材であって、上下方向にまっすぐに延びる棹２ａと、棹２ａの上部に設けられ後方に湾曲する天神２ｂと、棹２ａの下部に設けられる図示しない中子が胴部３を貫通して外部に露出する中子先２ｃと、を有する。天神２ｂには、糸６の上端部を張力を付与しながら巻き付ける糸巻き４が装着される。中子先２ｃには、糸６の下端部を係止する根緒５が巻き付け固定される。根緒５は、糸６を挿通して結び付けることによって糸６を係止可能な環状の紐部材であって、正絹や人絹（レーヨン）等からなる。棹２ａの前面には、糸巻き４と根緒５との間に張設された糸６が隙間をあけて配置され、棹２ａの前面の図示しない勘所において糸６を押さえることによって三味線１の音程を調整できる。
【００３１】
胴部３は、図１に示すように、糸６の振動が伝達されて反響することによって発音する筐状部材であって、前部及び後部に開口を有する枠状の胴３ａと、胴３ａの前部及び後部の開口をそれぞれ閉塞する皮３ｂと、を有する。胴３ａは、花梨等の唐木からなる４枚の板状部材を枠状に組み付けて接着したものである。皮３ｂは、猫皮、犬皮等からなる薄皮であって、胴３ａの外周部に張力を付与した状態で接着したものである。前側の皮３ｂには、糸巻き４と根緒５との間に張設された糸６が隙間をあけて配置され、皮３ｂと糸６との間の隙間には、糸６の振動を皮３ｂに伝達する駒７が装着される。駒７は、平面視で台形形状の部材であって、象牙、鼈甲、舎利（牛骨、鯨骨）、水牛角等からなる。駒７は、上下方向の位置を変更することによって三味線１の音色を調整できる。
【００３２】
糸巻き４は、図１に示すように、糸６の上端部を張力を付与しながら巻き付ける棒状部材であって、黒檀、紅木、象牙等からなる。糸巻き４は、例えば、装着方向に向かって先細り形状となる六角柱形状の部材である。糸巻き４は、天神２ｂの上部の右側に装着される一の糸巻き４ａと、天神２ｂの上下方向の中央部の左側に装着される二の糸巻き４ｂと、天神２ｂの下部の右側に装着される三の糸巻き４ｃと、を有する。
【００３３】
糸６は、図１に示すように、棹２ａ及び天神２ｂの左側に配置され上端部が一の糸巻き４ａに巻き付けられる一の糸６ａと、棹２ａ及び天神２ｂの左右方向の中央部に配置され上端部が二の糸巻き４ｂに巻き付けられる二の糸６ｂと、棹２ａ及び天神２ｂの右側に配置され上端部が三の糸巻き４ｃに巻き付けられる三の糸６ｃと、を有する。一の糸６ａ及び二の糸６ｂは、番手が小さい太線であって、低音を発音するものである。二の糸６ｂは、一の糸６ａよりも細い線であって、一の糸６ａよりも高音を発音する。三の糸６ｃは、番手が大きい細線であって、高音を発音するものである。一の糸６ａは、振動したときに、天神２ｂの下部の左側に設けられた図示しないさわり山に接触するように配置され、二の糸６ｂ及び三の糸６ｃは、さわり山に接触しないように配置される。このため、糸６が弾かれて振動すると、さわりと呼ばれる高次倍音成分に非倍音成分が付加されることによって生じる余韻の音色、すなわち、三味線１特有の音色を発音することができる。
【００３４】
糸６は、図２に示すように、糸状に延びる本体部１０を有し、その本体部１０には、当該本体部１０の外周部より外方に突出している突出部１１ａと、内方に埋没している埋没部１１ｂとが一体成形されている。この糸６は、単糸であって、いわゆる、撚糸ではない。すなわち、糸６は、１デニールという単位で表されるような単糸であって、５００デニールなどの複数本が撚り合わさったことを示す単位で表される撚糸ではない。
【００３５】
突出部１１ａは、図２（ａ）に示すように、本体部１０の延出方向に向かって等間隔となるように配置されており、滑らかに連続する凹凸形状となるように突出し、いわゆる波形形状となっている。より具体的に説明すると、突出部１１ａは、図２（ｂ）に示すように、本体部１０の延出方向と直交する方向に向かって、本体部１０の外周部から断面が三日月形状となるように突出している部分をいうものである。
【００３６】
埋没部１１ｂは、図２（ａ）に示すように、本体部１０の延出方向に向かって等間隔となるように配置されており、滑らかに連続する凹凸形状となるように埋没し、いわゆる波形形状となっている。より具体的に説明すると、埋没部１１ｂは、図２（ｃ）に示すように、本体部１０の外周部より内側に位置する破線で示す部分をいうものである。
【００３７】
ところで、糸６は、ナイロン（登録商標）などのポリアミドを溶融紡糸により製造された単糸をプレス加工することによって、図２に示す外形形状となるように加工される。溶融紡糸とは、原料を加熱溶融し、溶融状態で紡糸口金（ノズル）から繊維状に押し出し、冷却固化して繊維を製造する方法である。なお、糸６は、ナイロン（登録商標）に限定されるものではなく、テトロン（登録商標）などのポリエステル、ＰＥＴ等の合成繊維であってもよい。また、糸６は、ブロンズ、ニッケル、ステンレス等の金属線材であってもよい。また、糸６の製造方法は、溶融紡糸に限定されるものではなく、例えば、乾式紡糸、湿式紡糸等であってもよい。また、糸６の加工方法は、プレス加工に限定されるものではなく、例えば、転造加工、切削加工であってもよい。また、溶融紡糸において使用されるノズルを糸６の外形形状となるものとして、糸６の製造及び加工を同時に行うようにしてもよい。
【００３８】
しかして、本実施形態によれば、三味線１の糸６は、単糸であって、いわゆる、撚糸ではない。それゆえ、糸６の外周部に撚り合わせ部分が生成されることがないから、糸６の外周部を強く弾いたとしても、糸６の切断を防止することができる。さらに、糸６は、本体部１０の外周部に一体成形される突出部１１ａ又は埋没部１１ｂを有しているから、本体部１０の外周面に凹凸形状が形成されることとなる。これにより、糸６の振動に伴い振動する空気の振動が、本体部１０の外周面に形成されている凹凸形状によって単調な振動とならないから、さわりの優れた音色、すなわち、三味線１特有の優れた音色を奏することができる。
【００３９】
また、本実施形態によれば、突出部１１ａ又は埋没部１１ｂを波形形状となるように本体部１０の外周部より別体とせず一体として突出又は埋没させているから、本体部１０の外周面に糸６の振動に伴い振動する空気の振動が単調な振動とならないようにする凹凸形状を簡単容易に形成することができる。
【００４０】
ところで、糸６の形状は、図３に示すようにすることもできる。すなわち、図３に示す糸６の突出部１１ａは、図３（ａ）に示すように、本体部１０の延出方向に沿って連続的に配置される突起からなる。より具体的に説明すると、突出部１１ａは、図３（ｂ）に示すように、本体部１０の外周部より一体的に突出するとともに、図３（ａ）に示すように、やや傾斜している環状部分をいうものである。なお、糸６の製造及び加工方法は、図２に示す糸６と同様にすることができる。
【００４１】
しかして、このようにしても、本体部１０の外周面に凹凸形状が形成されることとなるから、糸６の振動に伴い振動する空気の振動が単調な振動とならず、もって、さわりの優れた音色、すなわち、三味線１特有の優れた音色を奏することができる。また、突出部１１ａを環状の突起となるように本体部１０の外周部より別体とせず一体として突出させているから、本体部１０の外周面に糸６の振動に伴い振動する空気の振動が単調な振動とならないようにする凹凸形状を簡単容易に形成することができる。なお、図３にて示した突出部１１ａの形状は、傾斜させるようにしたが、それに限らず、傾斜させずとも良い。
【００４２】
一方、糸６の形状は、図４に示すようにすることもできる。すなわち、図４に示す糸６の突出部１１ａは、図４（ａ）に示すように、本体部１０の延出方向に沿って一定間隔置きに配置される螺旋状の突起からなる。より具体的に説明すると、突出部１１ａは、図４（ｂ）に示すように、本体部１０の外周部より一体的に突出している環状部分をいうものである。なお、糸６の製造及び加工方法は、図２に示す糸６と同様にすることができる。
【００４３】
しかして、このようにしても、本体部１０の外周面に凹凸形状が形成されることとなるから、糸６の振動に伴い振動する空気の振動が単調な振動とならず、もって、さわりの優れた音色、すなわち、三味線１特有の優れた音色を奏することができる。また、突出部１１ａを螺旋状の突起となるように本体部１０の外周部より別体とせず一体として突出させているから、本体部１０の外周面に糸６の振動に伴い振動する空気の振動が単調な振動とならないようにする凹凸形状を簡単容易に形成することができる。なお、図４にて示した突出部１１ａは、一定間隔置きに配置される例を示したが、それに限らず、不規則に配置させても良い。
【００４４】
また一方、糸６の形状は、図５に示すようにすることもできる。すなわち、図５に示す糸６の埋没部１１ｂは、図５（ａ）に示すように、本体部１０の外周部に一定間隔置きに螺旋状突起１１ａ１が形成されるように、埋没部１１ｂが形成されている。より具体的に説明すると、埋没部１１ｂは、図５（ｂ）に示すように、本体部１０の外周部より一体的に埋没している環状部分をいうものである。なお、糸６の製造及び加工方法は、図２に示す糸６と同様にすることができる。
【００４５】
しかして、このようにしても、本体部１０の外周面に凹凸形状が形成されることとなるから、糸６の振動に伴い振動する空気の振動が単調な振動とならず、もって、さわりの優れた音色、すなわち、三味線１特有の優れた音色を奏することができる。また、埋没部１１ｂを本体部１０の外周部より別体とせず一体として埋没させているから、本体部１０の外周面に糸６の振動に伴い振動する空気の振動が単調な振動とならないようにする凹凸形状を簡単容易に形成することができる。なお、図５にて示した埋没部１１ｂの配置としては、一定間隔置きに配置される例を示したが、それに限らず、不規則に配置させても良い。
【００４６】
また一方、糸６の形状は、図６に示すようにすることもできる。すなわち、図６に示す糸６の突出部１１ａは、図６（ａ）に示すように、本体部１０の周方向に沿って一定間隔置きに配置される線状の突起からなる。より具体的に説明すると、突出部１１ａは、図６（ｂ）に示すように、本体部１０の外周部より一体的に突出している矩形状の部分をいうものである。なお、糸６の製造及び加工方法は、図２に示す糸６と同様にすることができる。
【００４７】
しかして、このようにしても、本体部１０の外周面に凹凸形状が形成されることとなるから、糸６の振動に伴い振動する空気の振動が単調な振動とならず、もって、さわりの優れた音色、すなわち、三味線１特有の優れた音色を奏することができる。また、突出部１１ａを線状の突起となるように本体部１０の外周部より別体とせず一体として突出させているから、本体部１０の外周面に糸６の振動に伴い振動する空気の振動が単調な振動とならないようにする凹凸形状を簡単容易に形成することができる。なお、図６にて示した突出部１１ａの形状は、一定間隔置きに配置される例を示したが、それに限らず、不規則に配置させても良い。
【００４８】
また一方、糸６の形状は、図７に示すようにすることもできる。すなわち、図７に示す糸６の突出部１１ａは、図７（ａ）に示すように、本体部１０の外周部より外方に向って、尖凸形状となるように突出している突起からなる。より具体的に説明すると、突出部１１ａは、図７（ｂ）に示すように、本体部１０の外周部より一体的に突出している頂点が外方に向くように突出する円錐形状となっている部分をいうものである。なお、糸６の製造及び加工方法は、図２に示す糸６と同様にすることができる。
【００４９】
しかして、このようにしても、本体部１０の外周面に凹凸形状が形成されることとなるから、糸６の振動に伴い振動する空気の振動が単調な振動とならず、もって、さわりの優れた音色、すなわち、三味線１特有の優れた音色を奏することができる。また、突出部１１ａを尖凸形状の突起となるように本体部１０の外周部より別体とせず一体として突出させているから、本体部１０の外周面に糸６の振動に伴い振動する空気の振動が単調な振動とならないようにする凹凸形状を簡単容易に形成することができる。なお、図７にて示した突出部１１ａの形状は、一定間隔置きに配置させても、不規則に配置させてもどちらでも良い。
【００５０】
また一方、糸６の形状は、図８に示すようにすることもできる。すなわち、図８に示す糸６の埋没部１１ｂは、図８（ａ）に示すように、本体部１０の外周部より内方に向って、尖凹形状となるように埋没しているものからなる。より具体的に説明すると、埋没部１１ｂは、図８（ｂ）に示すように、本体部１０の外周部より一体的に埋没している頂点が内方に向くように埋没する円錐形状となっている部分をいうものである。なお、糸６の製造及び加工方法は、図２に示す糸６と同様にすることができる。
【００５１】
しかして、このようにしても、本体部１０の外周面に凹凸形状が形成されることとなるから、糸６の振動に伴い振動する空気の振動が単調な振動とならず、もって、さわりの優れた音色、すなわち、三味線１特有の優れた音色を奏することができる。また、埋没部１１ｂを尖凹形状となるように本体部１０の外周部より別体とせず一体として埋没させているから、本体部１０の外周面に糸６の振動に伴い振動する空気の振動が単調な振動とならないようにする凹凸形状を簡単容易に形成することができる。なお、図８にて示した埋没部１１ｂの形状は、一定間隔置きに配置させても、不規則に配置させてもどちらでも良い。
【００５２】
なお、本実施形態では、弦楽器として三味線１を例示したが、これに限定されるものではなく、例えば、ギター、マンドリン、ハープ、箏、琵琶等の撥弦楽器であってもよいし、バイオリン、チェロ、胡弓等の擦弦楽器であってもよい。
【符号の説明】
【００５３】
１      三味線
２      棹部
２ａ    棹
２ｂ    天神
２ｃ    中子先
３      胴部
３ａ    胴
３ｂ    皮
４      糸巻き
４ａ    一の糸巻き
４ｂ    二の糸巻き
４ｃ    三の糸巻き
５      根緒
６      糸
６ａ    一の糸
６ｂ    二の糸
６ｃ    三の糸
７      駒
１０    本体部
１１ａ  突出部
１１ｂ  埋没部
【図１】
2017040862.tif 000003
【図２】
2017040862.tif 000004
【図３】
2017040862.tif 000005
【図４】
2017040862.tif 000006
【図５】
2017040862.tif 000007
【図６】
2017040862.tif 000008
【図７】
2017040862.tif 000009
【図８】
2017040862.tif 000010